(57)【要約】      （修正有）【課題】構造が簡単で、且つ製造過程で発生するいかなる状況にもすばやく対応、調整する使用上の使い易さと利便性を具えた紙箱製造機を提供する。【解決手段】ベース上に対向して設けられた２つの移動板固定滑動座と、移動板固定滑動座の上方に設けられた下方伝動皮ベルト移動板と、下方伝動皮ベルト移動板の他端に接続し、下方伝動皮ベルトで被覆された複数の導輪を具えた下方伝動皮ベルト導輪セットと、下方伝動皮ベルト導輪セットの上方に設けられた上方圧力ベルト板とを含み、上方圧力ベルト板は一端にアルミ型接合部材と挟持器具とを設け、他端に上方伝動皮ベルトで被覆された滑動輪を設けるため、下方伝動皮ベルトと貼着し、挟持器具はアルミ型固定部材と、アルミ型固定係合部材と、エンボスネジとを含み、アルミ型固定部材は対向する側辺に溝を設け、一方の側辺に延伸部を設け、延伸部の末端が係合部に形成される。【選択図】図１
0003136821.tif 000002
【実用新案登録請求の範囲】
【請求項１】
ベース上に対向するように設けられた２つの移動板固定滑動座と、
該移動板固定滑動座の上方にいずれも設けられる下方伝動皮ベルト移動板と、
該下方伝動皮ベルト移動板の他端の軸方向に接続し、下方伝動皮ベルトで被覆された複数の導輪を具えた下方伝動皮ベルト導輪セットと、
該下方伝動皮ベルト導輪セットの上方に設けられた上方圧力ベルト板と、を含んでなり、
該上方圧力ベルト板は一端にアルミ型接合部材と挟持器具とを設けてなり、他端に上方伝動皮ベルトで被覆された滑動輪を設けてなるため、下方伝動皮ベルトと貼着し、
該挟持器具はアルミ型固定部材と、該アルミ型固定係合部材と、エンボスネジとを含んでなり、
該アルミ型固定部材は対向する側辺の適宜な位置に溝を設けてなり、且つ一方の側辺に突出した延伸部が設けられ、該延伸部の末端がフック状の係合部に形成され、
該アルミ型固定係合部材は両端にいずれもフック状の係合部が設けられるとともに、アルミ型固定係合部材がエンボスネジでアルミ型固定部材に固定されると、その延伸、突出した部分がアルミ型固定部材の延伸部と等しい長さになるため、挟持器具が上方圧力ベルト板と接続して多用な運用性と実用性とを提供する構造からなることを特徴とする紙箱製造機。
【考案の詳細な説明】
【技術分野】
【０００１】
この考案は、紙箱製造機に関し、特に上方圧力ベルト板と挟持器具とを含んでなる紙箱製造機に関する。
【背景技術】
【０００２】
従来の紙箱製造機に設けられる上方圧力アルミ型及びその挟持器具は、図６に開示するように、該上方圧力板１３と、位置を調整するアルミ型固定部材２１と、アルミ型固定係合部材２２と、エンボスネジ２３とを含んでなる。
【０００３】
上述の構成からなる挟持器具２０は、その設計上、理想的ではなく、良好で安定した固定、接続状態を供するが、上方圧力板が板紙を挿入する開口の距離を調整する場合、挟持器具２０の構造と、他の部材とが干渉する状況が発生する。
【０００４】
よって、最適な位置に調整することができず、距離不足により自然と板紙の挿入作業にも影響を与える。
【０００５】
もともと設けられている上方圧力アルミ型と、他の接続部のサイズが異なるため、挟持器具の構造の設計及び製造上、様々なサイズイを準備しなくてはならない。
【０００６】
よって、上方圧力アルミ型の異なる位置に設ける挟持器具は、構造、サイズが異なり、相互に利用することができず、現場作業員の使用上の不便さを増加させるとともに、経済的な効率上も好ましくない。
【考案の開示】
【考案が解決しようとする課題】
【０００７】
この考案は、構造が簡単で、且つ製造過程で発生するいかなる状況にもすばやく対応し、調整することができる使用上の使い易さと利便性を具えた紙箱製造機を提供することを課題とする。
【課題を解決するための手段】
【０００８】
そこで、本考案の考案者は従来の技術に見られる欠点に鑑みて鋭意研究を重ねた結果、ベース上に対向するように設けられた２つの移動板固定滑動座と、
該移動板固定滑動座の上方にいずれも設けられる下方伝動皮ベルト移動板と、
該下方伝動皮ベルト移動板の他端の軸方向に接続し、下方伝動皮ベルトで被覆された複数の導輪を具えた下方伝動皮ベルト導輪セットと、
該下方伝動皮ベルト導輪セットの上方に設けられた上方圧力ベルト板と、を含んでなり、
該上方圧力ベルト板は一端にアルミ型接合部材と挟持器具とを設けてなり、他端に上方伝動皮ベルトで被覆された滑動輪を設けてなるため、下方伝動皮ベルトと貼着し、
該挟持器具はアルミ型固定部材と、該アルミ型固定係合部材と、エンボスネジとを含んでなり、
該アルミ型固定部材は対向する側辺の適宜な位置に溝を設けてなり、且つ一方の側辺に突出した延伸部が設けられ、該延伸部の末端がフック状の係合部に形成され、
該アルミ型固定係合部材は両端にいずれもフック状の係合部が設けられるとともに、アルミ型固定係合部材がエンボスネジでアルミ型固定部材に固定されると、その延伸、突出した部分がアルミ型固定部材の延伸部と等しい長さになるため、挟持器具が上方圧力ベルト板と接続して多用な運用性と実用性とを提供する構造からなる。
【０００９】
以下、この考案について具体的に説明する。
請求項１に記載する紙箱製造機は、ベース上に対向するように設けられた２つの移動板固定滑動座と、
該移動板固定滑動座の上方にいずれも設けられる下方伝動皮ベルト移動板と、
該下方伝動皮ベルト移動板の他端の軸方向に接続し、下方伝動皮ベルトで被覆された複数の導輪を具えた下方伝動皮ベルト導輪セットと、
該下方伝動皮ベルト導輪セットの上方に設けられた上方圧力ベルト板と、を含んでなり、
該上方圧力ベルト板は一端にアルミ型接合部材と挟持器具とを設けてなり、他端に上方伝動皮ベルトで被覆された滑動輪を設けてなるため、下方伝動皮ベルトと貼着し、
該挟持器具はアルミ型固定部材と、該アルミ型固定係合部材と、エンボスネジとを含んでなり、
該アルミ型固定部材は対向する側辺の適宜な位置に溝を設けてなり、且つ一方の側辺に突出した延伸部が設けられ、該延伸部の末端がフック状の係合部に形成され、
該アルミ型固定係合部材は両端にいずれもフック状の係合部が設けられるとともに、アルミ型固定係合部材がエンボスネジでアルミ型固定部材に固定されると、その延伸、突出した部分がアルミ型固定部材の延伸部と等しい長さになるため、挟持器具が上方圧力ベルト板と接続して多用な運用性と実用性とを提供する構造からなる。
【考案の効果】
【００１０】
この考案の紙箱製造機は、紙箱の品質及び作業効率を上昇させるとともに、経済的な利益を大幅に高めることができるという効果を有する。
【考案を実施するための最良の形態】
【００１１】
この考案は、構造が簡単で、且つ製造過程で発生するいかなる状況にもすばやく対応し、調整することができる使用上の使い易さと利便性を具えた紙箱製造機であって、ベース上に対向するように設けられた２つの移動板固定滑動座と、
該移動板固定滑動座の上方にいずれも設けられる下方伝動皮ベルト移動板と、
該下方伝動皮ベルト移動板の他端の軸方向に接続し、下方伝動皮ベルトで被覆された複数の導輪を具えた下方伝動皮ベルト導輪セットと、
該下方伝動皮ベルト導輪セットの上方に設けられた上方圧力ベルト板と、を含んでなり、
該上方圧力ベルト板は一端にアルミ型接合部材と挟持器具とを設けてなり、他端に上方伝動皮ベルトで被覆された滑動輪を設けてなるため、下方伝動皮ベルトと貼着し、
該挟持器具はアルミ型固定部材と、該アルミ型固定係合部材と、エンボスネジとを含んでなり、
該アルミ型固定部材は対向する側辺の適宜な位置に溝を設けてなり、且つ一方の側辺に突出した延伸部が設けられ、該延伸部の末端がフック状の係合部に形成され、
該アルミ型固定係合部材は両端にいずれもフック状の係合部が設けられるとともに、アルミ型固定係合部材がエンボスネジでアルミ型固定部材に固定されると、その延伸、突出した部分がアルミ型固定部材の延伸部と等しい長さになるため、挟持器具が上方圧力ベルト板と接続して多用な運用性と実用性とを提供する構造からなる。
かかる紙箱製造機の構造と特徴を詳述するために具体的な実施例を挙げ、図示を参照にして以下に説明する。
【実施例】
【００１２】
図１に開示するように、この考案の箱糊付け（ローラー）機には少なくとも、移動板固定滑動座１０と、下方伝動皮ベルト移動板１１と、下方伝動皮ベルト導輪セット１２と、上方圧力ベルト板１３と、Ｃ型フレーム１４と、昇降座固定滑動座１５と、昇降座１６と、挟持器具２０と、を含んでなる。
【００１３】
該移動板固定滑動座１０は、ベース上に左右対称に２つ設けられ、実際の上板のサイズに合わせて対向する距離を適宜に調整する。
【００１４】
該下方伝動皮ベルト移動板１１は、一端が該移動板固定滑動座１０の上方に接続固定される。該下方伝動皮ベルト導輪セット１２は、複数の直径方向に排列した導輪１２１を具え、且つ下方伝動皮ベルト１２２を環状に設け、最も外側の導輪１２１の軸方向が下方伝動皮ベルト移動板１１に接続して位置決めされる。
【００１５】
該上方圧力ベルト板１３は、一端に滑動輪１３１が設けられ、上方伝動皮ベルト１３２に被覆され、前述の下方伝動皮ベルト１２２と互いに押し圧し、他端にアルミ型接合部材１３３が設けられる。よって、上方圧力ベルト板１３は、下方伝動皮ベルト導輪１２上で位置を移動させることができる。
【００１６】
該Ｃ型フレーム１４は、上方圧力ベルト板１３の軸方向の側面に設けられ、両端がそれぞれ下方伝動皮ベルト移動板１１及び昇降座固定滑動座１５に固定される。
【００１７】
該昇降座固定滑動座１５は、一側面がＣ型フレーム１４の一端に接続し、他面が昇降座１６に設けられる。
【００１８】
該昇降座１６は、該昇降座固定フレーム１６１を具えてなり、隣接する両側がそれぞれ昇降座固定滑動座１５及び挟持器具２０に接続する。また、該昇降座１６は、昇降ハンドル１６２と、昇降支持桿１６３とを設けてなり、該昇降支持桿１６３の端縁部が挟持器具２０のアルミ形固定部材２１に接続して一体に形成されるとともに、昇降ハンドル１６２を操作して上方圧力ベルト板１３と、下方伝動皮ベルト１２１との分離を調整し、上方圧力ベルト板１３の位置を移動して微妙な作業をスムーズに進める。
【００１９】
該挟持器具２０は、アルミ型固定部材２１と、アルミ型固定係合部材２２とを合わせてなり、エンボスネジ２３を穿設して固定し組み合わせられる。
【００２０】
前述の上方圧力ベルト板１３は一端のアルミ型接合部材１３３がベースの多くの箇所で統一の固定されたサイズを採用している。
【００２１】
よって、使用する場合、アルミ型接合部材１３３は少なくとも１種類のサイズ、機能の挟持器具を選択する。また、図面に開示する挟持器具２０は昇降座１６に接続するために使用ものである。一方、挟持器具２０は、ベース上の同じサイズの箇所であればどこでもすばやく設けることができるか、或いはベース上から取り外すことができる。
【００２２】
図２は、この考案の挟持器具の実施形態を示したものである。図３は、挟持器具と、上方圧力ベルト板との接続状態を示した図である。図面によれば、挟持器具２０は、アルミ形固定部材２１と、アルミ形固定係合部材２２と、エンボスネジ２３とを含んでなる。
【００２３】
該アルミ形固定部材２１は、対向する両側の側辺の適宜な位置に凹設けられ溝２１１と、一方の側面の端縁部に突出、延伸して設けられた延伸部２１２とを含んでなる。該延伸部２１２は末端にフック状の係合部２１３を具えてなる。
【００２４】
該アルミ型固定係合部材２２は両端にいずれもフック状の係合部２２１を具えてなり、且つ、長さがアルミ型固定部材２１と等しくなるように形成される。
【００２５】
よって、アルミ型固定部材２１と、アルミ型固定係合部材２２とをそれぞれ接続する場合、アルミ型固定係合部材２２の係合部２２１をアルミ型固定部材２１上の対向する側辺に凹設された溝２１に係合し、エンボスネジ２３を穿設して固定するため、接続が安定する。
【００２６】
図４、５に開示するように、実際の使用において、挟持部材２０で位置を調整する場合、エンボスネジ２３の影響を受けて上方圧力ベルト板１３との間に干渉状態が発生し、適宜にアルミ型固定部材２１とアルミ型固定係合部材２２の方向を換えて、上方圧力ベルト板１３の一端に設けられたアルミ型接合部材１３３に接続し、干渉を緩和させるとともに、上方圧力ベルト板１３を板紙の挿入に必要な低い位置に調整する。
【００２７】
板紙を自動的に折り曲げて紙箱を製作する過程において、異なる種類の紙箱成型のサイズにより、挟持部材２０を調整する方法を通して上方圧力ベルト板１３を適宜に調整して位置を移動させて、最も好ましい作業空間を調整することができるため、異なる種類の紙箱をすばやく成型するために便利である。よて、干渉の問題をすばやく改善、調整することができるため、紙箱の製造工程における効率と生産能力を上昇させることができる。
【００２８】
この考案は、箱糊付け（ローラー）機の上方圧力アルミ型及びその挟持器具からなり、主要な部分は該上方圧力ベルト板に接続し、位置決めされた挟持器具を用いて形成される。
【００２９】
ベース上の類似する構造は統一、且つ、固定されたサイズの規格で設計され、紙箱を製造する過程で発生する可能性のあるどのような状況にもスムーズに対応するように、少なくとも１以上の挟持器具が補助的な作用を具えた部材を合わせ設けてなる。
【００３０】
また、この考案は、組み立て、及び取り外しがいずれも簡単ですばやく実施することができる。よって、現場作業員を煩わせることがない。
【００３１】
さらに、最適な組み合わせを具えて独自に特別に設計された挟持器具は、各種補助的な作用を有する部材と組み合わせて使用して、一貫した全自動の紙箱製造工程において発生する如何なる状況にも対応して解決を補助することができ、紙箱の品質及び作業効率を上昇させる。また、現場作業員が製品、品質などの理想や目標を達成するため、すぐに調整や修正を行うことができるため、経済的な利益を大幅に高めることができる。
【００３２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００３３】
【図１】この考案の紙箱製造機の構造を示した説明図である。
【図２】この考案の紙箱製造機の挟持器具を示した説明図である。
【図３】この考案の紙箱製造機の挟持器具と上方圧力ベルト板とを組み合わせた状態を示した説明図である。
【図４】この考案の紙箱製造機の上方圧力ベルト板を調整する状態を示した説明図である。
【図５】この考案の紙箱製造機の上方圧力ベルト板を調整する状態を示した説明図である。
【図６】従来の紙箱製造機の上方圧力ベルト板及び挟持器具を組み合わせた状態を示した説明図である。
【符号の説明】
【００３４】
１０        移動板固定滑動座
１１        下方伝動皮ベルト移動板
１２        下方伝動皮ベルト導輪
１２１      導輪
１２２      下方伝動皮ベルト
１３        上方圧力ベルト板
１３１      滑動輪
１３２      上方伝動皮ベルト
１３３      アルミ型接合部材
１４        Ｃ型フレーム
１５        昇降座固定滑動座
１６        昇降座
１６１      昇降座固定フレーム
１６２      昇降ハンドル
１６３      昇降支持桿
２０        挟持器具
２１        アルミ型固定部材
２１１      溝
２１２      延伸部
２１３      係合部
２２        アルミ型固定係合部材
２２１      係合部
２３        エンボスネジ
【図１】
0003136821.tif 000003
【図２】
0003136821.tif 000004
【図３】
0003136821.tif 000005
【図４】
0003136821.tif 000006
【図５】
0003136821.tif 000007
【図６】
0003136821.tif 000008